(57)【要約】【課題】  洗浄効果の高い気体と液体の混合比を持つ気液二相流を、気体と液体の混合比を同一に保って内視鏡内部に設けられた管路内に均一に供給することにより、内視鏡内部に設けられた管路の洗浄性を高めることのできるような、気液二相流排出用キャップを提供する。【解決手段】  気液二相流排出用キャップ１は、内視鏡２の内部に設けられた管路に連通する開口部に装着された際に、外部に一定のクリアランスを有する排出路４５が形成されるように一端が挿入されるような閉塞栓部４４と、内視鏡２の内部に設けられた管路に連通する開口部に形成されたフランジ部４６に係着され、周方向に少なくとも１つの切り欠き部４８が形成された折り返し部４７とを具備する。【選択図】  図３
2005237821.tif 000002
【特許請求の範囲】
【請求項１】
内視鏡内部に設けられた管路に連通する開口部に装着されるキャップであって、
前記内視鏡の前記管路内に供給された気液二相流を、該気液二相流が前記内視鏡の前記管路へ供給された時と同一の気体と液体の混合比の状態を保って前記内視鏡の外部に排出する排出路と、
前記内視鏡の前記開口部を部分的に閉塞する閉塞栓部と、
を具備したことを特徴とする気液二相流排出用キャップ。
【請求項２】
前記閉塞栓部が、前記内視鏡内部に設けられた前記管路に連通する前記開口部の内壁の全周にわたって水密に密着され得るものであり、かつ、前記排出路が、前記閉塞栓部の内部に形成されていることを特徴とする請求項１記載の気液二相流排出用キャップ。
【請求項３】
前記閉塞栓部が、前記開口部の内壁の全周に対して一定のクリアランスを形成した状態で前記開口部に装着され、かつ、前記クリアランスにより、前記排出路が前記閉塞栓部の外部に形成されていることを特徴とする請求項１記載の気液二相流排出用キャップ。
【請求項４】
前記気液二相流排出用キャップが前記内視鏡の前記開口部に取り付けられた際に、前記管路もしくは前記開口部の外周面側に向かって延出し、かつ、前記内視鏡の前記開口部に設けられたフランジ部の係止面に入り込む折り返し部を有し、
前記折り返し部は、周方向において少なくとも１つの切り欠き部を有することを特徴とする請求項３記載の気液二相流排出用キャップ。
【請求項５】
前記排出路の開口端面積が、１．１ｍｍ２から２８．３ｍｍ２であることを特徴とする、請求項１から請求項４のいずれか記載の気液二相流排出用キャップ。
【請求項６】
内視鏡内部に設けられた管路に連通する開口部に装着されるキャップであって、前記内視鏡の前記管路内に供給された気液二相流を、該気液二相流を前記内視鏡の前記管路へ供給した時と同一の気体と液体の混合比の状態を保って前記開口部から前記内視鏡の外部に排出する排出路と、前記内視鏡の前記開口部を部分的に閉塞する閉塞栓部とを具備したことを特徴とする気液二相流排出用キャップと、
前記気液二相流を内視鏡内部に設けられた管路に供給するための手段と、
を具備したことを特徴とする内視鏡洗浄装置。
【発明の詳細な説明】
【技術分野】
【０００１】
本発明は、気液二相流排出用キャップおよび内視鏡洗浄装置に関し、特に、気液二相流を用いて内視鏡を洗浄する際に、内視鏡内部に設けられた管路に連通する開口部に装着することによって、内視鏡内部に設けられた管路内を均一に洗浄することができる気液二相流排出用キャップおよび内視鏡洗浄装置に関するものである。
【背景技術】
【０００２】
従来より、内視鏡は医療分野等において広く用いられている。内視鏡は、例えば医療分野においては、患者の体腔の部位、組織等に対して種々の処置を行う際に用いられている。
【０００３】
内視鏡本体内部には管路が設けられており、内視鏡の管路は、内視鏡の機種、用途による構成等により長さや内径の大きさが異なる。管路を通じ、患部への薬液の注入、患部の血液の採取等の処置を行うことができる。また、内視鏡は、前述した種々の処置により生じるおそれのある汚染を避けるため、使用後には専用の洗浄装置等を用いて洗浄される。
【０００４】
内視鏡の洗浄に用いられる洗浄装置は、洗浄装置内部に洗浄液を循環させながら内視鏡外部および内部の洗浄を行っている。前述の洗浄装置を用い、内視鏡内部に設けられた管路を洗浄する際には、洗浄装置と内視鏡内部に設けられた管路とを洗浄チューブを用いて接続し、この洗浄チューブを介して、流速の速い洗浄液を供給することにより物理的な洗浄を行うような方法や、洗剤を混入した洗浄液を供給することにより化学的な洗浄を行うような方法等がよく用いられている。
【０００５】
内視鏡内部に設けられた管路の物理的な洗浄方法としては、例えば特許文献１において提案されているような、液体と気体を混合させた気液二相流を供給する方法がある。また、気液二相流による管路の物理的な洗浄方法としては、特許文献２および特許文献３において提案されているように、混合する気体と液体との混合比率、すなわち、空塔速度の比率を最適な値にすることによって、洗浄性を向上させる方法があることが明らかになっている。
【特許文献１】特開昭５８−１５６３８４号公報
【特許文献２】特開平６−２８５４４７号公報
【特許文献３】特開２００２−６６４８６号公報
【発明の開示】
【発明が解決しようとする課題】
【０００６】
内視鏡内部に設けられた管路は、前記のように、内視鏡の機種、用途による構成等により長さや内径の大きさが異なり、かつ、管路の途中には多くの分岐管路が接続されているため、管路内の部位により、流体に対する抵抗、すなわち、管路抵抗が大きく異なる。
【０００７】
内視鏡内部に設けられた管路は、前述のような管路抵抗を持つため、特許文献１において提案されているような方法により気液二相流を供給し、内視鏡内部に設けられた管路の物理的な洗浄を行う際には、液体に比べ粘性が低い気体は、管路内の流体に対する管路抵抗の小さい部位に多く流れてしまう。その結果、供給される気液二相流の気体と液体の混合比が管路内の部位によって異なるような状態が引き起こされ、管路内の洗浄が均一に行われず、洗浄性の低下を招くという課題がある。なお、特許文献２および特許文献３のいずれの文献においても、この前記課題を解決するための手段は開示されていない。
【０００８】
本発明は、前述のような点に鑑みてなされたものであり、洗浄効果の高い気体と液体の混合比を持つ気液二相流を、気体と液体の混合比を同一に保って内視鏡内部に設けられた管路内に均一に供給することにより、内視鏡内部に設けられた管路の洗浄性を高めることのできる、気液二相流排出用キャップを提供することを目的としている。
【課題を解決するための手段】
【０００９】
本発明における気液二相流排出用キャップは、内視鏡内部に設けられた管路に連通する開口部に装着されるキャップであって、前記内視鏡の前記管路内に供給された気液二相流を、該気液二相流を前記内視鏡の前記管路へ供給した時と同一の気体と液体の混合比の状態を保って前記内視鏡の外部に排出する排出路と、前記内視鏡の前記開口部を部分的に閉塞する閉塞栓部とを具備している。
【発明の効果】
【００１０】
本発明は、内視鏡内部に設けられた管路の長さや内径の大きさに合わせて排出路の開口端面積の調整を行うことにより、内視鏡内部に設けられた管路内の流体に対する管路抵抗を均一にできる。そのため、内視鏡内部に設けられた管路に洗浄効果の高い気体と液体の混合比を維持したまま気液二相流を供給することができ、管路内の洗浄が均一に行われるため、洗浄性の向上を図ることができる。
【発明を実施するための最良の形態】
【００１１】
以下、図面を参照して本発明の実施の形態を説明する。
【００１２】
（第１の実施形態）
図１から図４は、本発明の第１の実施形態に係るものである。図１は、本実施形態に係る気液二相流排出用キャップが用いられる内視鏡洗浄装置の概略構成図である。図２は、本実施形態に係る気液二相流排出用キャップが装着される内視鏡の断面図である。図３は、本実施形態に係る気液二相流排出用キャップ本体の断面図である。図4は、本実施形態に係る気液二相流排出用キャップ本体の断面の斜視図である。
【００１３】
最初に図１を用いて、本実施形態に係る気液二相流排出用キャップが用いられる内視鏡洗浄装置の構成の概略について説明する。
【００１４】
内視鏡洗浄の際には、内視鏡２は、洗浄漕３の中に設置される。洗浄漕３の壁面には、洗浄漕３内に注入された洗浄液等の水位を検知する水位検知センサー４が設置されている。水道蛇口５は、電磁弁６と、給水フィルター７と、3方向弁８とを介してノズル９に連通している。ノズル９には、3方向弁８を介して流液洗浄用管路１１が接続されている。洗浄漕３の底面の一部には、循環液吸引口１２が設けられており、循環液吸引口１２に設けられた管路は、内視鏡管路洗浄用ポンプ１３を介して内視鏡管路洗浄用管路１４に連通する管路と、流液洗浄用ポンプ１０を介して流液洗浄用管路１１に連通する管路とに分岐している。
【００１５】
内視鏡管路洗浄用管路１４は、逆止弁１５を介し、圧力センサー２９および内部管路を有するブロックＡ１６に接続されている。ブロックＡ１６は、途中に電磁弁１７が設けられた管路を介し、洗浄チューブ接続口１８および内部管路を有するブロックＢ１９に連通している。
【００１６】
ブロックＢ１９に設けられた洗浄チューブ接続口１８は、洗浄チューブ２０を介し、内視鏡２の内部に設けられた管路と連通している。
【００１７】
また、ブロックＡ１６は、途中に逆止弁２１と分岐弁２４が設けられたエアー供給管路２３を介して、コンプレッサー２２に接続されている。エアー供給管路２３の途中に設けられた分岐弁２４には、エアー供給管路２３から分岐した管路２５が設けられており、管路２５は、逆止弁２６と、ブロックＢ１９とを介し、洗浄チューブ接続口１８と連通している。
【００１８】
さらに、ブロックＡ１６は、途中にリリーフ弁２８が設けられたリリーフ管路２７を介し、洗浄漕３に連通している。リリーフ管路２７の途中に設けられたリリーフ弁２８は、開放圧が０．１８Ｍｐａから０．２０Ｍｐａの間で設定されており、該開放圧を超えた場合、内視鏡２の内部に設けられた管路に過剰な圧力がかからないようにするため、リリーフ弁２８は開放され、余分な流体は洗浄漕３に排出される。なお、ブロックＡ１６内の圧力は、ブロックＡ１６に設けられた圧力センサー２９により随時モニタリングされている。
【００１９】
洗浄漕３の底面の一部には、排水口３０が設けられており、排水口３０から伸びた排水管路３１は、排水弁３２と、排水ポンプ３３とを介し、内視鏡洗浄装置外部に開放されている。
【００２０】
次に、第1の実施形態に係る気液二相流排出用キャップについて、図２から図４を用いて説明する。内視鏡２は、操作部３４と、挿入部３７と、コネクター部３９とを有する。操作部３４の内部には、シリンダ部３５が形成されており、シリンダ部３５にはシリンダ部開口部３６が設けられている。また、挿入部３７の内部には挿入部管路３８が、コネクター部３９の内部にはコネクター部管路４０が、それぞれシリンダ部３５から分岐して連通するように形成されている。挿入部管路３８の寸法は、内視鏡２の機種により、１．１ｍｍ２から２８．３ｍｍ２の管路断面積と、１．０ｍから２．５ｍの管路長との組み合わせとにより構成されている。また、コネクター部管路４０の寸法は、内視鏡２の機種によらず、１０．７５ｍｍ２程度の管路断面積と、１．５ｍ程度の管路長とにより構成されている。
【００２１】
挿入部管路３８の途中には、分岐管路４２が形成されており、分岐管路４２には、分岐管路開口部４３が設けられている。分岐管路開口部４３は、内視鏡２を用いて患部の検査、手術等を行う際に、図示しない処置具等が挿入できるようになっている。
【００２２】
コネクター部管路４０に設けられたコネクター部開口部４１は、内視鏡２を用いて患部の血液の吸引等を行う際に、図示しない外部に設置した吸引器からのチューブが接続できるようになっている。また、コネクター部開口部４１には、内視鏡２の洗浄を行う際に、洗浄チューブ２０が接続できるようにもなっている。
【００２３】
図３は、シリンダ部開口部３６または分岐管路開口部４３に装着される気液二相流排出用キャップ１の構造を説明するための断面図である。シリンダ部開口部３６および分岐管路開口部４３は、各々の内径が決定すれば、各々の箇所に装着される気液二相流排出用キャップ１の寸法も同時に決定される。以降では、シリンダ部開口部３６および分岐管路開口部４３は、内径および形状寸法が同一のものであると仮定して説明を行う。
【００２４】
図３で示す気液二相流排出用キャップ１は、内視鏡２の洗浄時に、シリンダ部開口部３６および分岐管路開口部４３に装着される。気液二相流排出用キャップ１には、シリンダ部開口部３６および分岐管路開口部４３を部分的に閉塞し、外部に一定のクリアランスを有する排出路４５が形成されるように、一端がシリンダ部開口部３６または分岐管路開口部４３に挿入されるような、閉塞栓部４４が設けられている。排出路４５の開口端面積は、１．１ｍｍ２から２８．３ｍｍ２であり、内視鏡２の内部に設けられた管路、すなわち、挿入部管路３８の管路断面積と同一になるような寸法形状により形成されている。
【００２５】
閉塞栓部４４の他端には折り返し部４７が設けられており、気液二相流排出用キャップ１がシリンダ部開口部３６および分岐管路開口部４３に装着された際に、折り返し部４７は、シリンダ部開口部３６および分岐管路開口部４３の外周面側に向かって延出し、かつ、シリンダ部開口部３６および分岐管路開口部４３に設けられたフランジ部４６の係止面に入り込むように形成されている。この場合、フランジ部４６は、折り返し部４７に周辺を覆われるため、気液二相流排出用キャップ１が一旦装着されると、気液二相流排出用キャップ１がシリンダ部開口部３６および分岐管路開口部４３から簡単に外れてしまうようなことが無いような構造となっている。
【００２６】
また、図４で示すとおり、折り返し部４７には、周方向に少なくとも１つの切り欠き部４８が形成されている。内視鏡２の内部に供給された洗浄液が排出される際には、洗浄液は、図３における矢印で示された経路、すなわち、閉塞栓部４４の外側に形成された排出路４５に流れ込んだ後、切り欠き部４８から洗浄漕３に排出されるという経路を辿るため、1度の洗浄において、内視鏡２の内部だけではなく、フランジ部４６の周囲を同時に洗浄することも可能である。
【００２７】
さらに、気液二相流排出用キャップ１は、閉塞栓部４４の外径の大きさにより、シリンダ部開口部３６および分岐管路開口部４３に連通する管路から流れてくる流体に対する、シリンダ部開口部３６および分岐管路開口部４３の管路抵抗を調整することができる。
【００２８】
管路抵抗の調整は、例えば、閉塞栓部４４の外径が大きい場合は、排出路４５の開口端面積が小さくなることにより管路抵抗が大きくなり、また、閉塞栓部４４の外径が小さい場合は、排出路４５の開口端面積が大きくなることにより管路抵抗が小さくなる、というような、気液二相流排出用キャップ１が有する構造を利用して行う。つまり、本実施形態における気液二相流排出用キャップ１が有するこのような構造を利用すれば、排出路４５の開口端面積を、シリンダ部開口部３６に装着される気液二相流排出用キャップ１はコネクター部管路４０の開口端面積と同一になるように、また、分岐管路開口部４３に装着される気液二相流排出用キャップ１は挿入部管路３８の開口端面積と同一になるように、それぞれ調整を行うことにより、内視鏡２の内部の管路抵抗を均一にすることができる。また、内視鏡２の内部の管路抵抗が均一の場合においては、シリンダ部開口部３６および分岐管路開口部４３に連通する管路から流れてくる気液二相流は、内視鏡２の内部に設けられた管路、すなわち、コネクター部管路４０および挿入部管路３８に供給された時と同一の気体と液体の混合比を保ったまま切り欠き部４８から洗浄漕３に排出されるため、該気液二相流の気体と液体の混合比が管路内の部位によって異なるような状態が引き起こされること無く、内視鏡２の内部の洗浄を均一に行うことができる。
【００２９】
次に、前記構成における、内視鏡の洗浄工程およびすすぎ工程について説明する。
【００３０】
内視鏡２の洗浄工程においては、内視鏡２を洗浄漕３の中に設置した後、洗浄チューブ２０の一端を洗浄漕３に設けられた洗浄チューブ接続口１８に接続し、洗浄チューブ２０の他端を内視鏡２のコネクター部開口部４１に接続する。内視鏡２のシリンダ部開口部３６および分岐管路開口部４３には、シリンダ部開口部３６および分岐管路開口部４３を部分的に閉塞する気液二相流排出用キャップ１をそれぞれ装着する。気液二相流排出用キャップ１は、内視鏡２の機種、すなわち、内視鏡２におけるコネクター部管路４０および挿入部管路３８の管路径の大きさにより使い分ける。これにより、内視鏡２の内部に設けられた管路、すなわち、コネクター部管路４０および挿入部管路３８と、内視鏡２に設けられた開口部、すなわち、シリンダ部開口部３６および分岐管路開口部４３の管路抵抗を均一にすることができるため、適切な気体と液体の混合比を持つ気液二相流を内視鏡２の内部全体に供給することができる。図示しない内視鏡洗浄装置のトップカバーを閉じ、図示しない内視鏡洗浄装置のパネルに設置された各制御スイッチの操作により、洗浄工程が開始される。
【００３１】
洗浄工程が開始されると、まず、排水弁３２が閉じられる。続いて電磁弁６が開き、水道水が、水道蛇口５から、給水フィルター７および３方向弁８を介してノズル９から洗浄層３内に供給される。洗浄層３内の水位が適正になったことを水位検知センサー４が検知すると、給水弁６が閉じられる。流液洗浄用ポンプ１０とノズル９が連通するように３方向弁８が切り替わると、流液洗浄用ポンプ１０が作動する。
【００３２】
洗浄層３内には、図示していないカセット容器収納機構が設けられている。カセット容器収納機構の内部には、図示していない洗剤カセット容器が設置されており、洗剤カセット容器内には洗剤が充填されている。カセット容器収納機構の作用により、洗剤カセット容器内に充填された洗剤は、内視鏡２に直接触れること無く洗浄層３内に排出される。洗浄層３内に排出された洗剤は、ノズル９より排出された水道水と混ざり合い、希釈されて、内視鏡２の内部および外部の洗浄に用いる洗浄液となる。
【００３３】
前記のようにして作られた洗浄液は、作動している流液洗浄用ポンプ１０により吸い上げられ、ノズル９より排出される。ノズル９から排出される洗浄液は、洗浄漕３内に設置された内視鏡２の外部を洗浄しながら洗浄漕３内を還流する。また、洗浄漕３内を還流する洗浄液は、一部が循環液吸引口１２から吸引され、流液洗浄用管路１１を経由し、再度ノズル９へと向かうという経路を辿って循環する。
【００３４】
また、内視鏡管路洗浄用ポンプ１３が作動し、電磁弁１７が開放されることにより、流速が大きな洗浄液が内視鏡２の内部に供給される。この時、コンプレッサー２２に連通するエアー供給管路２３の途中に設置された分岐弁２４は、コンプレッサー２２とブロックＢ１９を連通する方向に開放されているため、コンプレッサー２２を作動させることにより、ブロックＢ１９内において洗浄液とエアーが混合され、気液二相流が生成される。コンプレッサー２２から供給されるエアーの流量は、内視鏡管路洗浄用ポンプ１３から供給される洗浄液の流量の約５倍以上であり、このような気体と液体の混合比を持つ気液二相流が、洗浄チューブ接続口１８から、洗浄チューブ２０と、コネクター部開口部４１とを介して内視鏡２の内部に設けられた管路、すなわち、コネクター部管路４０および挿入部管路３８に供給される。
【００３５】
つまり、コネクター部管路４０および挿入部管路３８の管路径の大きさに合った気液二相流排出用キャップ１をシリンダ部開口部３６および分岐管路開口部４３にそれぞれ装着した上において、前記気体と液体の混合比を持つ気液二相流を前記経路で供給して内視鏡２の内部の洗浄を行うことにより、内視鏡２の内部の管路抵抗が均一な状態において、前記気体と液体の混合比が保たれたまま内視鏡２の内部の洗浄が行われるため、内視鏡２の洗浄を効率的に行うことができる。
【００３６】
なお、ブロックＡ１６は、途中にリリーフ弁２８が設けられたリリーフ管路２７を介し、洗浄漕３に連通している。リリーフ弁２８は、開放圧を超えた場合、内視鏡２の内部に設けられた管路に過剰な圧力がかからないようにするために開放され、余分な流体が洗浄漕３に排出されるような構造となっている。このため、コンプレッサー２２から供給されるエアーと内視鏡管路洗浄用ポンプ１３から供給される洗浄液との混合をブロックＡ１６内において行った場合、リリーフ弁２８が開放してしまうことにより、内視鏡２の内部に設けられた管路に対する洗浄効率が高い気体と液体の混合比を持つ気液二相流を生成できなくなってしまうため、コンプレッサー２２から供給されるエアーと内視鏡管路洗浄用ポンプ１３から供給される洗浄液との混合は、ブロックＡ１６内ではなく、ブロックＢ１９内において行われる。
【００３７】
また、洗浄液中に洗剤が混入されている場合、気液二相流を洗浄漕３内に供給することにより、洗浄漕内３内に多量の泡が発生し、洗浄漕３内に設けられた水位検知センサー４が誤検知を起こす可能性がある。そのため、コンプレッサー２２は、例えば、５秒間コンプレッサー２２を作動させた後、泡を消すために１０秒間停止するといった具合に、間欠的に作動させた方が良い。
【００３８】
前記までの作用により、内視鏡２の外部は、流液洗浄用ポンプ１０が作動し、ノズル９から洗浄液が供給されることにより洗浄され、また、内視鏡２の内部は、内視鏡管路洗浄用ポンプ１３とコンプレッサー２２が作動し、ブロックＢ１９内において生成された気液二相流が、洗浄チューブ接続口１８から、洗浄チューブ２０と、コネクター部開口部４１とを介して内視鏡２の内部に設けられた管路、すなわち、コネクター部管路４０および挿入部管路３８に供給されることにより洗浄される。
【００３９】
洗浄工程が終了すると、排水弁３２が開放され、排水ポンプ３３が作動することにより、管路３１を通じて洗浄漕３内の洗浄液が内視鏡洗浄装置の外部に排出される。この時、流液洗浄ポンプ１０と内視鏡管路洗浄用ポンプ１３も同時に作動することにより、内視鏡２の内部に設けられた管路、および内視鏡洗浄装置内に設けられた管路等に残留している洗浄液も同時に排出される。
【００４０】
その後、３方向弁８が切り替わり、水道蛇口５とノズル９を連通させると同時に、電磁弁６が開放されて再度水道水が洗浄漕３内に供給される。洗浄漕３内の水位が適正になると、内視鏡管路内洗浄用ポンプ１３と流液洗浄用ポンプ１０が作動し、内視鏡２の内部に設けられた管路と、内視鏡２の外部と、内視鏡洗浄装置の洗浄漕３と、内視鏡洗浄装置内に設けられた管路等とがそれぞれすすがれる。前記各部がすすがれると、再度排水弁３２が開放され、排水ポンプ３３が作動することにより、前記各部をすすぐ際に用いられた、洗浄漕３内に滞留するすすぎ水が、管路３１を通じて内視鏡洗浄装置の外部に排出される。この時、流液洗浄ポンプ１０と内視鏡管路洗浄用ポンプ１３も同時に作動することにより、内視鏡２の内部に設けられた管路、および内視鏡洗浄装置内に設けられた管路等に残留しているすすぎ水も同時に排出される。
【００４１】
これに続いて、エアー供給管路２３に設置された分岐弁２４が作動し、コンプレッサー２２とブロックＡ１６をとを連通する方向に開放される。この後、コンプレッサー２２が作動し、圧縮されたエアーが、エアー供給管路２３と、ブロックＡ１６と、電磁弁１７と、ブロックＢ１９とを経由し、洗浄チューブ接続口１８から洗浄チューブ２０を介して内視鏡２の内部に設けられた管路に供給される。これにより、内視鏡２の内部に設けられた管路および内視鏡洗浄装置内に設けられた管路等の除水を行う。すすぎ工程が終了するまでは、排水弁３２は開放され、排水ポンプ３３は作動しているので、洗浄漕３に放出されたすすぎ水は外部に全て排出される。
【００４２】
（第２の実施形態）
次に、本発明に係る第２の実施形態について、図５を用いて説明する。
【００４３】
図５は、本実施形態に係る気液二相流排出用キャップ本体の断面図である。なお、図１から図４までとの同一の部分には、同一の符号を付して詳細説明は省略する。
【００４４】
第２の実施形態の気液二相流排出用キャップ１ａは、第１の実施形態の気液二相流排出用キャップ１とは排出路４５の位置が異なっており、閉塞栓部４４の内部に形成されている。また、本実施形態の気液二相流排出用キャップ１ａにおいては、排出路４５が閉塞栓部４４の内部に形成されており、かつ、折り返し部４７に切り欠き部４８が形成されていないため、内視鏡２の内部に設けられた管路に連通する開口部、すなわち、シリンダ部開口部３６および分岐管路開口部４３の内壁の全周にわたって水密に密着させることができる。本実施形態の気液二相流排出用キャップ１ａは、前記のような構造を持つため、内視鏡２の内部に供給された洗浄液が排出される際には、洗浄液は、図５における矢印で示されるように、閉塞栓部４４の内側に形成された排出路４５に流れ込んだ後、排出路４５の開口部より洗浄漕３に排出される。
【００４５】
本実施形態の気液二相流排出用キャップ１ａにおいては、閉塞栓部４４の内部に形成されている排出路４５の開口端面積を調整することにより、シリンダ部開口部３６および分岐管路開口部４３の管路抵抗の調整を行うことができる。つまり、排出路４５の開口端面積が大きい場合は管路抵抗が小さくなり、また、排出路４５の開口端面積が小さい場合は管路抵抗が大きくなる。
【００４６】
この場合、排出路４５および排出路４５の開口部が、第１の実施形態の気液二相流排出用キャップ１よりも視認し易い位置に設けられているため、開口端面積の調整、すなわち、シリンダ部開口部３６および分岐管路開口部４３の管路抵抗の調整が容易となる。また、第１の実施形態の気液二相流排出用キャップ１よりも構造が比較的単純なため、安価に生産できるという利点がある。
【図面の簡単な説明】
【００４７】
【図１】本発明の実施形態に係る気液二相流排出用キャップが用いられる内視鏡洗浄装置の概略構成図。
【図２】本発明の実施形態に係る気液二相流排出用キャップが装着される内視鏡の断面図。
【図３】本発明の第１の実施形態に係る気液二相流排出用キャップの気液二相流排出用キャップ本体の断面図。
【図４】本発明の第１の実施形態に係る気液二相流排出用キャップの気液二相流排出用キャップ本体断面の斜視図。
【図５】本発明の第２の実施形態に係る気液二相流排出用キャップの気液二相流排出用キャップ本体の断面図。
【符号の説明】
【００４８】
１  気液二相流排出用キャップ、２  内視鏡、３  洗浄漕、４  水位検知センサー、５  水道蛇口、６  電磁弁、７  給水フィルター、８  ３方向弁、９  ノズル、１０  流液洗浄用ポンプ、１１  流液洗浄用管路、１２  循環液吸引口、１３  内視鏡管路洗浄用ポンプ、１４  内視鏡管路洗浄用管路、１５  逆止弁、１６  ブロックＡ、１７  電磁弁、１８  洗浄チューブ接続口、１９  ブロックＢ、２０  洗浄チューブ、２１  逆止弁、２２  コンプレッサー、２３  エアー供給管路、２４  分岐弁、２５  管路、２６  逆止弁、２７  リリーフ管路、２８  リリーフ弁、２９  圧力センサー、３０  排水口、３１  排水管路、３２  排水弁、３３  排水ポンプ、３４  操作部、３５  シリンダ部、３６  シリンダ部、開口部  ３７  挿入部、３８  挿入部管路、３９  コネクター部、４０  コネクター部管路、４１  コネクター部開口部、４２  分岐管路、４３  分岐管路開口部、４４  閉塞栓部、４５  排出路、４６  フランジ部、４７  折り返し部、４８  切り欠き部
代理人    弁理士    伊  藤    進
【図１】
2005237821.tif 000003
【図２】
2005237821.tif 000004
【図３】
2005237821.tif 000005
【図４】
2005237821.tif 000006
【図５】
2005237821.tif 000007